(57)【要約】【課題】系統が停電時に、複数のパワーコンディショナの並列運転に何ら変更を加えることなく、容易に並列運転を行うことができる電源システム。【解決手段】通常時に系統連系して電力を変換して負荷に電力を供給する複数のパワーコンディショナＰＣＳ−１，ＰＣＳ−２を備え、複数のパワーコンディショナの内の１つのパワーコンディショナＰＣＳ−１は、系統が停電時には系統連系から自立運転に切換え、複数のパワーコンディショナから１つのパワーコンディショナを除く残りのパワーコンディショナＰＣＳ−２は、１つのパワーコンディショナＰＣＳ−１に連系して動作する。【選択図】図１
2018026890.tif 000002
【特許請求の範囲】
【請求項１】
通常時に系統連系して電力を変換して負荷に電力を供給する複数のパワーコンディショナを備え、
前記複数のパワーコンディショナの内の１つのパワーコンディショナは、前記系統が停電時には前記系統連系から自立運転に切換え、
前記複数のパワーコンディショナから前記１つのパワーコンディショナを除く残りのパワーコンディショナは、前記１つのパワーコンディショナに連系して動作することを特徴とする電源システム。
【請求項２】
前記複数のパワーコンディショナの各々は、
入力される発電装置の直流電力と蓄電装置の直流電力との少なくとも一方の直流電力を所定の直流に変換する直流変換装置と、
前記直流変換装置で変換された所定の直流を交流に変換するインバータと、
前記インバータと前記直流変換装置を制御する制御回路とを備え、
前記複数のパワーコンディショナは、通常時に前記系統と連系し前記系統が停電時に自立運転するとともに、逆潮流しないように連携先の周波数、電圧に応じて電流を制御する１つのマスタ機と、
通常時に前記系統と連系し、前記系統が停電時に前記マスタ機と連系する１以上のスレーブ機と、
からなることを特徴とする請求項１記載の電源システム。
【請求項３】
前記マスタ機の容量は、前記スレーブ機の合計容量の２倍以上であることを特徴とする請求項２記載の電源システム。
【請求項４】
前記系統が停電時に、前記マスタ機の出力が第１の電力値以下になるときは、前記スレーブ機を所定の出力以下に低減又は停止し、前記マスタ機の出力が第１の電力値より大きい第２の電力値以上のときには前記スレーブ機を前記マスタ機に連系動作させることを特徴とする請求項２又は請求項３記載の電源システム。
【請求項５】
前記系統が停電時に前記マスタ機に流れる電流を検出する検出器を備え、
前記スレーブ機は、前記検出器に流れる電流に基づいて出力電流を制御することを特徴とする請求項２記載の電源システム。
【請求項６】
前記複数のスレーブ機の各々は、前記直流変換装置の出力が所定の電圧以上になった場合には自己の出力電流を制限することで連系することを特徴とする請求項２乃至請求項４のいずれか１項記載の電源システム。
【発明の詳細な説明】
【技術分野】
【０００１】
本発明は、通常時に系統連系して電力を変換して負荷に電力を供給する複数のパワーコンディショナ（ＰＣＳ）を備えた電源システムに関する。
【背景技術】
【０００２】
パワーコンディショナは、系統が停電時に電力を供給するため、自立運転機能を有しているものが多い。しかし、パワーコンディショナに接続可能な負荷の容量は、パワーコンディショナの容量で決まる。このため、パワーコンディショナから大容量の負荷に給電することは不可能であった。
【０００３】
図３は、特許文献１に記載された分散型電源設備の運転制御方法を示す図である。特許文献１は、自立運転時に複数台の分散電源を並列運転し、負荷に供給する電力容量をアップする手法を提案している。
【０００４】
電力系統１０５から解列された複数の分散型電源１０１のいずれか１つのインバータを基準のインバータとし、基準のインバータを電圧制御運転して交流電圧源を形成する。基準のインバータの出力電圧が発生した後、残りの分散型電源のインバータ１０３を基準のインバータの出力電圧に同期してそれぞれ電流制御運転する。
【０００５】
電流制御運転により交流電圧源に同期した交流電流源をそれぞれ形成して各分散型電源を並列同期運転する。このため、各分散型電源が出力に関連した情報のやりとり等を行うことなく、個別の運転制御で並列同期運転される。
【先行技術文献】
【特許文献】
【０００６】
【特許文献１】特開１１−８９０９６号公報
【発明の概要】
【発明が解決しようとする課題】
【０００７】
しかしながら、特許文献１は、負荷が減少すると、１つのインバータから他のインバータに電流が逆流し、他のインバータを破損することがある。
【０００８】
本発明の課題は、系統が停電時に、複数のパワーコンディショナの並列運転に何ら変更を加えることなく、容易に並列運転を行うことができる電源システムを提供することにある。
【課題を解決するための手段】
【０００９】
本発明に係る電源システムは、通常時に系統連系して電力を変換して負荷に電力を供給する複数のパワーコンディショナを備え、前記複数のパワーコンディショナの内の１つのパワーコンディショナは、前記系統が停電時には前記系統連系から自立運転に切換え、前記複数のパワーコンディショナから前記１つのパワーコンディショナを除く残りのパワーコンディショナは、前記１つのパワーコンディショナに連系して動作することを特徴とする。
【００１０】
また、前記複数のパワーコンディショナの各々は、入力される発電装置の直流電力と蓄電装置の直流電力との少なくとも一方の直流電力を所定の直流に変換する直流変換装置と、前記直流変換装置で変換された所定の直流を交流に変換するインバータと、前記インバータと前記直流変換装置を制御する制御回路とを備え、前記複数のパワーコンディショナは、通常時に前記系統と連系し前記系統が停電時に自立運転するとともに、逆潮流しないように連携先の周波数、電圧に応じて電流を制御する１つのマスタ機と、通常時に前記系統と連系し、前記系統が停電時に前記マスタ機と連系する1以上のスレーブ機とからなることを特徴とする。
【発明の効果】
【００１１】
本発明によれば、系統が停電時に、複数のパワーコンディショナの並列運転に何ら変更を加えることなく、容易に並列運転を行うことができる。
【図面の簡単な説明】
【００１２】
【図１】本発明の実施例１に係る電源システムの構成ブロック図である。
【図２】本発明の実施例２に係る電源システムの構成ブロック図である。
【図３】特許文献１に記載された分散型電源設備の運転制御方法を示す図である。
【発明を実施するための形態】
【００１３】
以下、本発明の実施の形態の電源システムについて、図面を参照しながら詳細に説明する。
【００１４】
本発明は、通常時に系統連系して電力を供給する複数のパワーコンディショナが、系統の停電時に複数のパワーコンディショナを系統から解列して第１のパワーコンディショナを系統連系から自立運転に切換え、残りのパワーコンディショナを、第１のパワーコンディショナと連系動作させる。
【００１５】
各パワーコンディショナは、太陽電池等の発電装置又は電池等の蓄電装置の直流電力を入力し、第１のパワーコンディショナは、所定の周波数・電圧で制御し、残りのパワーコンディショナは、第１のパワーコンディショナに連系する。パワーコンディショナ間は、通信など信号のやりとりを行うことなく、連携先に逆潮流しないように制御し、電源システムの容量を増加させる。
【００１６】
系統が停電時に、第１のパワーコンディショナの出力が第１の電力値以下である場合には、残りのパワーコンディショナを所定の出力以下又は停止させ、第１のパワーコンディショナの出力が第１の電力値より大きい第２の電力値以上のときは残りのパワーコンディショナを第１のパワーコンディショナと連系動作させる。以下、その詳細について説明する。
【実施例１】
【００１７】
図１は、本発明の実施例１に係る電源システムの構成ブロック図である。図１に示す電源システムは、検出器ＣＴ１，ＣＴ２、パワーコンディショナＰＣＳ−１，ＰＣＳ−２、接続箱２−１，２−２、太陽光パネル３−１，３−２、充電器箱４−１，４−２、バッテリ５−１，５−２を備えている。
【００１８】
検出器ＣＴ１は、系統１とスイッチＳＷ１の一端との間に設けられ、系統１に流れる電流及び電圧を検出する。検出器ＣＴ２は、スイッチＳＷ１の他端とパワーコンディショナＰＣＳ−２との間に設けられ、パワーコンディショナＰＣＳ−１に流れる電流及び電圧を検出する。
【００１９】
パワーコンディショナＰＣＳ−１は、マスタ機であり、パワーコンディショナＰＣＳ−２と負荷６とに接続され、ＤＣ／ＤＣコンバータ１１−１、ＤＣ／ＤＣコンバータ１２−１、インバータ１３−１、制御回路１４−１を備えている。
【００２０】
ＤＣ／ＤＣコンバータ１１−１は、接続箱２−１を介して太陽光パネル３−１で発電された直流電力を第１の所定の直流電力に変換する。ＤＣ／ＤＣコンバータ１２−１は、充電器箱４−１を介してバッテリ５−１の直流電力を第２の所定の直流電力に変換する。インバータ１３−１は、ＤＣ／ＤＣコンバータ１１−１又はＤＣ／ＤＣコンバータ１２−１からの直流を交流に変換して系統１又は負荷６に供給する。
【００２１】
制御回路１４−１は、インバータ１３−１を制御する。制御回路１４−１は、検出器ＣＴ１で検出された電流及び電圧の信号に基づいて系統１の電源の状態を検知し、系統１の電源の状態が正常であればスイッチＳＷ１をオンし、検出器ＣＴ１の信号に基づいて、インバータ１３−１を系統連系モードで動作させる。
【００２２】
また、制御回路１４−１は、検出器ＣＴ１の信号に基づいて系統１の停電を検知した場合には、スイッチＳＷ１をオフし、インバータ１３−１を自立運転モードで動作させる。パワーコンディショナＰＣＳ−１は、自立運転時に交流を負荷６に供給する。
【００２３】
さらに、検出器ＣＴ１が系統１の復電を検知した場合には、制御回路１４−１は、インバータ１３−１を系統連系モードにより再運転する。
【００２４】
パワーコンディショナＰＣＳ−２は、スレーブ機であり、自立運転モードで動作させる機能を備えず、それ以外は、パワーコンディショナＰＣＳ−１と同じ機能を備える。パワーコンディショナＰＣＳ−２は、パワーコンディショナＰＣＳ−１と同じものを使用しても良い。
【００２５】
パワーコンディショナＰＣＳ−２は、ＤＣ／ＤＣコンバータ１１−２、ＤＣ／ＤＣコンバータ１２−２、インバータ１３−２を備えている。ＤＣ／ＤＣコンバータ１１−２の機能は、ＤＣ／ＤＣコンバータ１１−１の機能と同一である。ＤＣ／ＤＣコンバータ１２−２の機能は、ＤＣ／ＤＣコンバータ１２−１の機能と同一である。
【００２６】
インバータ１３−２は、検出器ＣＴ１で検出された電流及び電圧の信号に基づいて、系統１の電源の状態を検知し、系統１の電源の状態が正常であれば、検出器ＣＴ１の信号に基づいて、系統連系モードで動作する。
【００２７】
インバータ１３−２は、スイッチＳＷ６を介して検出器ＣＴ２に接続され、検出器ＣＴ１で検出された電流及び電圧の信号に基づいて、系統１の停電を検出した場合には、スイッチＳＷ６をオンさせて、検出器ＣＴ２に流れる電流に基づいてパワーコンディショナＰＣＳ−２をパワーコンディショナＰＣＳ−１と連系モードで動作させる。
【００２８】
検出器ＣＴ２は、負荷６が減少した時に、パワーコンディショナＰＣＳ−２からパワーコンディショナＰＣＳ−１への電流の逆流を検出する。インバータ１３−２は、検出器ＣＴ２により電流の逆流が検出されたときに、電流を制御することにより負荷６への電流供給を減少させる。
【００２９】
また、検出器ＣＴ１の電圧信号により系統１が復電したことを検知した場合には、インバータ１３−２は、検出器ＣＴ１の電流信号に応じて系統連系モードで動作する。
【００３０】
このように実施例１に係る電源システムによれば、複数のパワーコンディショナＰＣＳ−１，ＰＣＳ−２は、通常時に系統連系して電力を変換して負荷に電力を供給する。パワーコンディショナＰＣＳ−１は、系統１が停電時には系統連系から自立運転に切換え、パワーコンディショナＰＣＳ−２は、自立運転に切り換えられたパワーコンディショナＰＣＳ−１に連系して動作する。
【００３１】
従って、系統１が停電時に、複数のパワーコンディショナＰＣＳ−１，ＰＣＳ−２の並列運転に何ら変更を加えることなく、容易に並列運転を行うことができる。
【００３２】
また、検出器ＣＴ２によりパワーコンディショナＰＣＳ−２からパワーコンディショナＰＣＳ−１への電流の逆流が検出されたときには、電流を制御することにより負荷６への電流供給を減少させる。これにより、負荷６が減少しても、パワーコンディショナＰＣＳ−２からパワーコンディショナＰＣＳ−１への電流の逆流を防止することができる。
【実施例２】
【００３３】
図２は、実施例２に係る電源システムの構成ブロック図である。実施例２の電源システムは、検出器ＣＴ１，ＣＴ２、パワーコンディショナＰＣＳ−１ａ，ＰＣＳ−２ｂ、接続箱２−１，２−２、太陽光パネル３−１，３−２、充電器箱４−１，４−２、バッテリ７−１，７−２を備えている。
【００３４】
パワーコンディショナＰＣＳ−１ａは、連系出力端子Ｔ１、自立出力端子Ｔ２、ＤＣ／ＤＣコンバータ１１−１、ＤＣ／ＤＣコンバータ１２−１、インバータ１３−１、制御回路１４−１ａを備えている。
【００３５】
パワーコンディショナＰＣＳ−２ｂは、連系出力端子Ｔ３、自立出力端子Ｔ４、ＤＣ／ＤＣコンバータ１１−１、ＤＣ／ＤＣコンバータ１２−１、インバータ１３−１、制御回路１４−２ｂを備えている。
【００３６】
パワーコンディショナＰＣＳ−１ａの制御回路１４−１ａは、検出器ＣＴ１の信号に基づいて、系統１の電力が正常である場合に系統連系モードでインバータ１３−１を動作させて連系出力端子Ｔ１から交流を出力させる。制御回路１４−１ａは、検出器ＣＴ１の信号に基づいて、系統１が停電した場合に自立運転モードでインバータ１３−１を動作させて自立端子Ｔ２から交流を出力させる。
【００３７】
また、制御回路１４−１ａは、系統１が停電状態であるか否かに応じて、スイッチＳＷ１〜ＳＷ６のオンオフを制御する。実施例２ではバッテリ５−１，５−２を電気自動車のバッテリ７−１，７−２としているが、バッテリの機能は、同じ機能である。
【００３８】
パワーコンディショナＰＣＳ−１ａの連系出力端子Ｔ１は、系統１に接続されると共に、正常時のスイッチＳＷ１を介して負荷６に接続される。パワーコンディショナＰＣＳ−１ａの自立出力端子Ｔ２は、スイッチＳＷ２を介して負荷６に接続される。パワーコンディショナＰＣＳ−２ｂの連系出力端子Ｔ３は、スイッチＳＷ３を介してパワーコンディショナＰＣＳ−１ａの連系出力端子Ｔ１に接続されると共に、スイッチＳＷ４を介してパワーコンディショナＰＣＳ−１ａの自立出力端子Ｔ２に接続される。パワーコンディショナＰＣＳ−１ａは、スイッチＳＷ４を介してパワーコンディショナＰＣＳ−２ｂの自立出力端子Ｔ４に接続される。
【００３９】
連系出力端子Ｔ１と系統１との間には、検出器ＣＴ１と検出器ＣＴ２との直列回路が設けられる。自立出力端子Ｔ２とスイッチＳＷ２との間には、検出器ＣＴ３が設けられる。検出器ＣＴ１は、系統１の電圧及び電流を検出し、検出した信号をパワーコンディショナＰＣＳ−１ａの制御回路１４−１ａに出力する。検出器ＣＴ２は、系統１の電圧及び電流を検出し、検出した信号をスイッチＳＷ５を介してパワーコンディショナＰＣＳ−２ｂの制御回路１４−２ｂに出力する。検出器ＣＴ３は、パワーコンディショナＰＣＳ−１ａの自立出力端子Ｔ２の電圧及び電流を検出し、検出した信号をスイッチＳＷ６を介してパワーコンディショナＰＣＳ−２ｂの制御回路１４−２ｂに出力する。
【００４０】
（通常運転時）
次に、電源システムの通常運転時の動作を説明する。
【００４１】
まず、パワーコンディショナＰＣＳ−１ａの制御回路１４−１ａは、スイッチＳＷ１、ＳＷ５、ＳＷ３をオンし、スイッチＳＷ２、ＳＷ４、ＳＷ６をオフさせる。パワーコンディショナＰＣＳ−１ａ及びパワーコンディショナＰＣＳ−２ｂのインバータ１３−１，１３−２は、系統連系モードで動作する。即ち、パワーコンディショナＰＣＳ−２ｂから系統１に電力が供給される。
【００４２】
検出器ＣＴ１，ＣＴ２は、系統１からの電力が正常に供給されていることを検出するとともに、バッテリ７−１，７−２の電力が系統１に逆潮流していることを検出する。系統１から負荷６に電力を供給すると共に、太陽光パネル３−１，３−２が発電した電力又はバッテリ７−１，７−２に蓄積された電力を負荷６に供給する。
【００４３】
これにより、系統１からの電力供給の低減、ピークカット、ピークシフト等を行うことができる。また、太陽光パネル３−１，３−２が発電する電力を系統１に逆潮流させることもできる。
【００４４】
（停電時）
次に、系統１が停電した時の動作を説明する。まず、パワーコンディショナＰＣＳ−１ａの制御回路１４−１ａは、スイッチＳＷ１、ＳＷ５、ＳＷ３をオフし、スイッチＳＷ２、ＳＷ４、ＳＷ６をオンする。
【００４５】
パワーコンディショナＰＣＳ−１ａの制御回路１４−１ａは、検出器ＣＴの信号に基づいて、インバータ１３−１を自立運転モードで動作させ、太陽光パネル３−１が発電した電力又はバッテリ７−１に蓄積された電力を交流に変換して自立出力端子Ｔ２から出力させる。このため、スイッチＳＷ２を介して負荷６に電力が供給される。
【００４６】
パワーコンディショナＰＣＳ−２ｂは、検出器ＣＴ３からの信号に基づいて、パワーコンディショナＰＣＳ−１ａの自立出力端子Ｔ２から出力される交流電力と連系して運転され、太陽光パネル３−１が発電する電力又はバッテリ７−１に蓄積された電力を交流に変換して負荷６に供給される。
【００４７】
以上のように、パワーコンディショナＰＣＳ−２ｂは、パワーコンディショナＰＣＳ−１ａの自立出力に連系して制御するとともに，検出器ＣＴ３によりパワーコンディショナＰＣＳ−１ａの電流を検出する。パワーコンディショナＰＣＳ−２ｂは、検出器ＣＴ３で検出された電流に基づいて、パワーコンディショナＰＣＳ−２ｂからパワーコンディショナＰＣＳ−１ａへ電流が逆流しないように制御する。従って、パワーコンディショナＰＣＳ−２ｂの出力がパワーコンディショナＰＣＳ−１ａに流れ込むことなく並列に動作させることができる。
【００４８】
このため、パワーコンディショナに備わる系統連系モード、自立運転モードを利用して、容易に並列運転が可能となり、大容量の負荷への電力供給が可能となる。
【００４９】
（復電時）
次に、系統１の復電時の動作を説明する。まず、パワーコンディショナＰＣＳ―１ａの制御回路１４−１ａは、スイッチＳＷ１、ＳＷ３、ＳＷ５をオンし、スイッチＳＷ２、ＳＷ４、ＳＷ６をオフする。パワーコンディショナＰＣＳ―１ａの制御回路１４−１ａは、インバータ１３−１を系統連系モードで動作させる。このため、パワーコンディショナＰＣＳ−１ａは系統１と連系して負荷６に電力を供給する。
【００５０】
スイッチＳＷ４からスイッチＳＷ６を切り替えることによって、パワーコンディショナＰＣＳ−２ｂに接続される検出器ＣＴ３から検出器ＣＴ１に切り替わり、パワーコンディショナＰＣＳ−１ａの自立出力端子Ｔ２からパワーコンディショナＰＣＳ−１ａの連系出力端子Ｔ１に切換わる。このため、パワーコンディショナＰＣＳ−２ｂがパワーコンディショナＰＣＳ−１ａと並列に接続され、系統連系で動作し、負荷６に電力を供給する。
【００５１】
以上のように実施例１及び実施例２によれば、系統停電時にパワーコンディショナＰＣＳ−１ａが自立出力し、パワーコンディショナＰＣＳ−２ｂをパワーコンディショナＰＣＳ−１ａに連系して動作させる。このため、並列運転において、パワーコンディショナＰＣＳ−２ｂの出力がパワーコンディショナＰＣＳ−１ａの出力に逆流しないようにパワーコンディショナＰＣＳ−２ｂの出力を制御することができる。
【００５２】
具体的にはパワーコンディショナＰＣＳ−１ａの出力電流の逆流を検出器ＣＴ３により検知した場合、パワーコンディショナＰＣＳ−２ｂの出力を低下し、逆流が継続しないように制御する。又は、パワーコンディショナＰＣＳ−１ａの出力が第１の電力値以下になったら、パワーコンディショナＰＣＳ−２ｂの出力を低下させ、パワーコンディショナＰＣＳ−１ａの出力が第１の電力値以下で継続して運転しないように制御することで、パワーコンディショナＰＣＳ−１ａの出力に電力が流れ込まないようにする。
【００５３】
（追加の動作）
しかし、パワーコンディショナＰＣＳ−２ｂが出力を低下させる応答に遅れがある場合には、負荷６が急激に減少したときに逆流する恐れがある。このような逆流を抑制する場合には、以下のように対応すると良い。
【００５４】
パワーコンディショナＰＣＳ−１ａの自立出力端子Ｔ２の電力が予め設定した第１の電力（例えば５００Ｗ）になった場合に、パワーコンディショナＰＣＳ−２ｂの出力を停止させる。
【００５５】
パワーコンディショナＰＣＳ−２ｂの容量は、パワーコンディショナＰＣＳ−１ａの定格容量の半分以下とする。パワーコンディショナＰＣＳ−２ｂの出力を停止した場合に、パワーコンディショナＰＣＳ１−１ａ単体の電力で負荷６に給電を継続する必要がある。
【００５６】
また、実際の運用では、パワーコンディショナＰＣＳ−２ｂの容量は、パワーコンディショナＰＣＳ−１ａの定格容量の半分以下とする。パワーコンディショナＰＣＳ−２ｂの電流を制御するため、パワーコンディショナＰＣＳ−１ａの電流を検出する検出器ＣＴ３の応答遅れにより、負荷６が急変したときにパワーコンディショナＰＣＳ−２ｂの出力がパワーコンディショナＰＣＳ−１ａに逆流することを防ぐことができる。
【００５７】
（スイッチの他の制御方法）
次に、スイッチの他の制御方法を説明する。スイッチＳＷ３〜ＳＷ６のオンオフは、以下のように切り換えても良い。
【００５８】
例えば、系統１が停電したことを検出した場合、スイッチＳＷ３，ＳＷ５をオフし、スイッチＳＷ４，ＳＷ６をオンする。系統１が復電すると、スイッチＳＷ１がオンしスイッチＳＷ２がオフするので、これを検出してスイッチＳＷ３，ＳＷ５をオンし、スイッチＳＷ４，ＳＷ６をオフする。
【００５９】
パワーコンディショナＰＣＳ−１ａは、並列運転の機能を備えないパワーコンディショナを使用することができ、パワーコンディショナＰＣＳ−２ｂに、復電時の検出をスイッチＳＷ１とスイッチＳＷ２との少なくとも一方のスイッチのオンオフの状態を検出する機能を追加するだけで良い。このため、並列運転機能を備えない既設のパワーコンディショナに容易に並列運転させたパワーコンディショナを増設することができる。
【００６０】
（スレーブ機の他の制御方法）
実施例１又は実施例２では、系統が停電時にパワーコンディショナＰＣＳ−１ａの出力電流が逆流した場合に、逆方向にならないようにパワーコンディショナＰＣＳ−２ｂの出力を低下させ、逆流が継続しないようにする。
【００６１】
逆流によってパワーコンディショナＰＣＳ−１ａの自立出力端子Ｔ２に電流が流入すると、インバータ１３−１を介してＤＣ／ＤＣコンバータ１１−１又はＤＣ／ＤＣコンバータ１２−１の出力部に備えられるコンデンサが充電されて上昇する。
【００６２】
パワーコンディショナＰＣＳ−２ｂはインバータ１３−２の出力電力が指令値より少ないとパワーコンディショナＰＣＳ−２ｂに備えられたＤＣ／ＤＣコンバータ１１−２又はＤＣ／ＤＣコンバータ１２−２の出力電圧を上昇してインバータ１３−２の出力電力が指令値になるように調整される。
【００６３】
そこで、逆流によってＤＣ／ＤＣコンバータ１１−２又はＤＣ／ＤＣコンバータ１２−２の出力部に備えられるコンデンサが充電されて上昇すると、パワーコンディショナＰＣＳ−２ｂは出力電力が減少する。このため、パワーコンディショナＰＣＳ−２ｂに備えられたＤＣ／ＤＣコンバータ１１−２又はＤＣ／ＤＣコンバータ１２−２の電圧を上昇させる。
【００６４】
この状態が継続すると、コンデンサの電圧は上昇して破損することがあるので、パワーコンディショナＰＣＳ−２に備えられたＤＣ／ＤＣコンバータ１１−２又はＤＣ／ＤＣコンバータ１２−２は、電圧を所定の電圧未満に制御する。
【００６５】
以上のように、系統１が停電時にパワーコンディショナＰＣＳ−２ｂに備えられたＤＣ／ＤＣコンバータ１１−２又はＤＣ／ＤＣコンバータ１２−２の出力部に備えられるコンデンサの電圧が上昇する。そこで、コンデンサの電圧が上昇すると、パワーコンディショナＰＣＳ−２ｂは、インバータ１３−２の出力電流を制御することにより出力電力を制限する。これによって、コンデンサの電圧が上昇することがなくなる。
【００６６】
これは、パワーコンディショナＰＣＳ−１ａの自立出力端子Ｔ２に流入する電流を抑えることになる。即ち、パワーコンディショナＰＣＳ−１ａの自立出力端子Ｔ２に流れる電流を検出することなしに、パワーコンディショナＰＣＳ−１ａの自立出力端子Ｔ２に流入する電流を抑えることができる。
【００６７】
なお、実施例１，２では、スレーブ機をパワーコンディショナＰＣＳ−２のみとしたが、複数のパワーコンディショナＰＣＳを複数のスレーブ機とし、複数のスレーブ機を停電時にパワーコンディショナＰＣＳ−１に連系させても良い。
【符号の説明】
【００６８】
１  系統
２−１，２−２  接続箱
３−１，３−２  太陽光パネル
４−１，４−２  充電器箱
５−１，５−２  バッテリ
６  負荷
１１−１，１１−２，１２−１，１２−２  ＤＣ／ＤＣコンバータ
１３−１，１３−２  インバータ
１４−１  制御回路
ＣＴ１，ＣＴ２  検出器
ＰＣＳ−１，ＰＣＳ−２  パワーコンディショナ
ＳＷ１〜ＳＷ６  スイッチ
Ｔ１，Ｔ３  連系出力端子
Ｔ２，Ｔ４  自立出力端子
【図１】
2018026890.tif 000003
【図２】
2018026890.tif 000004
【図３】
2018026890.tif 000005